(57)【要約】【課題】操作者が予約した設備管理装置のスケジュールの進行状況をリアルタイムに知ることができるスケジュール予約システムを得る。【解決手段】管理対象のビルに設置され前記ビルの設備を管理する複数の設備管理装置３２、４２と、前記複数の設備管理装置を遠隔制御するマンマシンインターフェース１１とがネットワーク２０を介して接続されたスケジュール予約システムであって、マンマシンインターフェース１１は、前記ビルの設備の予約スケジュールの送信要求が有る場合には、入力された予約スケジュールデータを前記入力された予約スケジュールデータから認識した設備管理装置３２、４２に送信するとともに、前記ビルの設備の予約スケジュールの進行状況を受信すると前記ビルの設備の予約スケジュールの進行状況を表示し、設備管理装置３２、４２は、前記ビルの設備の予約スケジュールの進行状況をマンマシンインターフェース１１に逐次送信する。【選択図】図８
2005084836.tif 000002
【特許請求の範囲】
【請求項１】
管理対象のビルに設置され前記ビルの設備を管理する複数の設備管理装置と、前記複数の設備管理装置を遠隔制御する遠隔制御装置とがネットワークを介して接続されたスケジュール予約システムであって、
前記遠隔制御装置は、前記ビルの設備の予約スケジュールの送信要求が有る場合には、入力された予約スケジュールデータを前記入力された予約スケジュールデータから認識した設備管理装置に送信するとともに、前記ビルの設備の予約スケジュールの進行状況を受信すると前記ビルの設備の予約スケジュールの進行状況を表示し、
前記設備管理装置は、前記ビルの設備の予約スケジュールの進行状況を前記遠隔制御装置に逐次送信する
ことを特徴とするスケジュール予約システム。
【請求項２】
前記遠隔制御装置は、マンマシンインターフェースである
ことを特徴とする請求項１記載のスケジュール予約システム。
【発明の詳細な説明】
【技術分野】
【０００１】
この発明は、操作者が予約した設備管理装置のスケジュールの進行状況をリアルタイムに知ることができるスケジュール予約システムに関するものである。
【背景技術】
【０００２】
従来のビル管理装置は、建物内に設置された機器の運転をスケジュール管理し、スケジュール管理される機器に対する一連の制御内容が複数種類設定可能であり且つそれらの制御内容が動作パターンとして区別され、日毎に日付と動作パターンとを関連づけたカレンダデータと、動作パターンの一連の制御内容を規定する動作設定データと、カレンダデータから各日付に対応した動作パターンを取り出し、その動作パターンの制御内容を動作設定データを参照して取得し、その取得した制御内容にしたがい各機器の動作を制御するスケジュール制御部とを備える（例えば、特許文献１参照）。
【０００３】
【特許文献１】特開２００２−２８７８０５号公報（第１頁、図１）
【発明の開示】
【発明が解決しようとする課題】
【０００４】
上述したような従来の装置では、遠隔地から設備管理装置のスケジュールデータを予約設定することができず、また、予約設定したスケジュールデータが設備管理装置に反映されたかどうかを操作者が知ることができないという問題点があった。
【０００５】
この発明は、上述のような課題を解決するためになされたもので、その目的は、操作者が予約した設備管理装置のスケジュールの進行状況をリアルタイムに知ることができるスケジュール予約システムを得るものである。
【課題を解決するための手段】
【０００６】
この発明に係るスケジュール予約システムは、管理対象のビルに設置され前記ビルの設備を管理する複数の設備管理装置と、前記複数の設備管理装置を遠隔制御する遠隔制御装置とがネットワークを介して接続されたスケジュール予約システムであって、前記遠隔制御装置は、前記ビルの設備の予約スケジュールの送信要求が有る場合には、入力された予約スケジュールデータを前記入力された予約スケジュールデータから認識した設備管理装置に送信するとともに、前記ビルの設備の予約スケジュールの進行状況を受信すると前記ビルの設備の予約スケジュールの進行状況を表示し、前記設備管理装置は、前記ビルの設備の予約スケジュールの進行状況を前記遠隔制御装置に逐次送信するものである。
【発明の効果】
【０００７】
この発明に係るスケジュール予約システムは、操作者が予約した設備管理装置のスケジュールの進行状況をリアルタイムに知ることができるという効果を奏する。
【発明を実施するための最良の形態】
【０００８】
実施の形態１．
この発明の実施の形態１に係るスケジュール予約システムについて図面を参照しながら説明する。図１は、この発明の実施の形態１に係るスケジュール予約システムとしての遠隔制御監視システムの構成を示す図である。
【０００９】
図１において、管理会社の管理センター１０には、パソコンなどのマンマシンインターフェース１１と、パソコンなどの送受信装置１２と、公衆電話回線、インターネットなどのネットワーク２０に接続されたモデムなどの通信装置１３と、パソコンなどのデータベース（ＤＢ）サーバ１４と、大容量記憶装置に構築されたデータベース（ＤＢ）１５とが設けられている。マンマシンインターフェース１１、送受信装置１２及びデータベースサーバ１４は、バスなどで相互に接続され、マンマシンインターフェース１１はデータベース１５のデータを容易に参照でき、この場合のデータの転送などの動作は特に説明しない。なお、マンマシンインターフェース１１は、インターネットによりビルのオーナーなどのユーザのパソコンと接続され、ユーザのパソコンからマンマシンインターフェース１１のホームページをアクセスして閲覧可能である。
【００１０】
また、図１において、Ａビル３０には、ネットワーク２０に接続されたモデムなどの通信装置３１と、照明機器３３、空調機器３４などをＯＮ、ＯＦＦ制御したり、監視したりする設備管理装置３２とが設けられている。同様に、Ｂビル４０には、ネットワーク２０に接続されたモデムなどの通信装置４１と、照明機器４３、空調機器４４などをＯＮ、ＯＦＦ制御したり、監視したりする設備管理装置４２とが設けられている。
【００１１】
図２は、この発明の実施の形態１に係る設備管理装置の動作を説明するための図である。同図（ａ）は、例えばＡビル３０に設置された設備管理装置３２の基本的な動作を示し、同図（ｂ）は、例えばＢビル４０に設置された設備管理装置４２の基本的な動作を示す。
【００１２】
図２（ａ）において、設備管理装置３２は、当日テーブル３６のスケジュールデータに従って、例えば照明機器３３をＯＮ、ＯＦＦ制御する。この当日テーブル３６は、設備管理装置３２が基本スケジュール３５から当日に設定する。例えば、当日が水曜日の場合には、設備管理装置３２は、水曜日に、例えば朝一番の０時に、基本スケジュール３５の水曜日のスケジュールデータを当日テーブル３６に設定する。従って、設備管理装置３２は、基本スケジュール３５の変更を、１日前に、上記の例では火曜日にしなければならない。なお、基本スケジュール３５には、各曜日に、初期値として、例えばＯＮ時間が０９：００、ＯＦＦ時間が１７：００のスケジュールデータが登録されている。
【００１３】
図２（ｂ）において、設備管理装置４２は、当日テーブル４６のスケジュールデータに従って、例えば照明機器４３をＯＮ、ＯＦＦ制御する。この当日テーブル４６は、設備管理装置４２が基本スケジュール４５から前日に設定する。例えば、当日が水曜日の場合には、設備管理装置４２は、火曜日に、例えば２３時５９分に、基本スケジュール４５の水曜日のスケジュールデータを当日テーブル３６に設定する。従って、設備管理装置４２は、基本スケジュール４５の変更を、２日前に、上記の例では月曜日にしなければならない。なお、基本スケジュール４５には、各曜日に、初期値として、例えばＯＮ時間が０９：００、ＯＦＦ時間が１７：００のスケジュールデータが登録されている。
【００１４】
図３は、この発明の実施の形態１に係るスケジュール予約システムのデータベースの構成例を示す図である。同図（ａ）はスケジュール予約データベース１５１、同図（ｂ）はビル／機種対応テーブル１５２、同図（ｃ）は機種／処理日対応テーブル１５３をそれぞれ示す。
【００１５】
図３（ａ）において、スケジュール予約データベース１５１は、データ項目として、『ビル』、『設備』、『場所』、『予約データ』などから構成されている。
【００１６】
図３（ｂ）において、ビル／機種対応テーブル１５２は、データ項目として、『ビル』、『設備管理装置の機種』などから構成されている。
【００１７】
図３（ｃ）において、機種／処理日対応テーブル１５３は、データ項目として、『設備管理装置の機種』、『スケジュールの処理日』などから構成されている。
【００１８】
図４は、この発明の実施の形態１に係るスケジュール予約システムのマンマシンインターフェースのスケジュール予約の入力画面例を示す図である。同図において、マンマシンインターフェース１１の入力画面には、ビル名の入力欄１１１と、設備名の入力欄１１２と、場所の入力欄１１３と、予約データの入力欄１１４と、『送信』ボタンと、『取消』ボタンなどが設けられている。
【００１９】
つぎに、この実施の形態１に係るスケジュール予約システムの動作について図面を参照しながら説明する。図５は、この発明の実施の形態１に係るスケジュール予約システムのマンマシンインターフェースの動作を示すフローチャートである。
【００２０】
まず、ステップ１０１において、マンマシンインターフェース１１は、スケジュール予約の送信要求が有るか否かを判断する。すなわち、図４に示すような、スケジュール予約の入力画面から『送信』がクリックされたかどうか判断する。スケジュール予約の送信要求が有る場合には、次のステップ１０２へ進む。
【００２１】
上記のスケジュール予約の入力は、管理センター１０の操作者が行っているが、ビルのオーナーなどのユーザも可能である。ユーザのパソコンからインターネットを通じてマンマシンインターフェース１１のホームページを閲覧しスケジュール予約の入力画面をアクセスする。
【００２２】
次に、ステップ１０２において、マンマシンインターフェース１１は、入力データをデータベース（ＤＢ）に登録する。すなわち、図４に示すような、スケジュール予約の入力画面から、入力されたビル名、設備名、場所、予約データなどを、データベースサーバ１４へ転送する。データベースサーバ１４は、マンマシンインターフェース１１から転送されてきたビル名、設備名、場所、予約データなどを、スケジュール予約データベース１５１の対応するエリアに格納する。
【００２３】
スケジュール予約データの具体例は、図４のスケジュール予約の入力画面と、図３（ａ）のスケジュール予約データベース１５１に示す通りである。すなわち、一つは、Ａビルの１Ｆエントランスの照明を、２００３年０７月３０日には、０９：００にＯＮ、１２：００にＯＦＦする、データである。二つ目は、Ｂビルの１Ｆエントランスの照明を、２００３年０７月３０日には、０９：００にＯＮ、１２：００にＯＦＦする、データである。
【００２４】
次に、ステップ１０３において、マンマシンインターフェース１１は、スケジュール予約の対象ビルから設備管理装置の機種を判別する。すなわち、上述した具体例では、図３（ｂ）に示すビル／機種対応テーブル１５２を参照して、例えば、ビルが『Ａ』の場合には、設備管理装置の機種は『ＭＡ』であると認識できる。また、ビルが『Ｂ』の場合には、設備管理装置の機種は『ＭＢ』であると認識できる。
【００２５】
次に、ステップ１０４において、マンマシンインターフェース１１は、設備管理装置の機種に応じて所定日前にスケジュール予約データを送信する。すなわち、上述した具体例では、図３（ｃ）に示す機種／処理日対応テーブル１５３を参照して、例えば、設備管理装置の機種が『ＭＡ』の場合には、スケジュール予約データの処理日は『１日前に送信』であると認識できる。また、設備管理装置の機種が『ＭＢ』の場合には、スケジュール予約データの処理日は『２日前に送信』であると認識できる。
【００２６】
マンマシンインターフェース１１は、スケジュール予約の対象ビルがＡビル３０の場合は、スケジュール予約データの処理日が『１日前に送信』であると認識できる。従って、上述した具体例では、２００３年０７月２９日には、送受信装置１２により、通信装置１３、ネットワーク２０、通信装置３１を経由して、スケジュール予約データを設備管理装置３２へ送信する。設備管理装置３２は、スケジュール予約データを受信すると、基本スケジュール３５の該当曜日のスケジュールデータを更新する。
【００２７】
また、マンマシンインターフェース１１は、スケジュール予約の対象ビルがＢビル４０の場合は、スケジュール予約データの処理日が『２日前に送信』であると認識できる。従って、上述した具体例では、２００３年０７月２８日には、送受信装置１２により、通信装置１３、ネットワーク２０、通信装置３１を経由して、スケジュール予約データを設備管理装置４２へ送信する。設備管理装置４２は、スケジュール予約データを受信すると、基本スケジュール４５の該当曜日のスケジュールデータを更新する。
【００２８】
なお、ステップ１０３及び１０４の処理を、データベースサーバ１４がマンマシンインターフェース１１と同様に行ってもよい。また、ステップ１０４の処理を、送受信装置１２が行ってもよい。
【００２９】
また、１日の設定を４８時間（４８：００）とし、午前０時をまたいだ設定も可能な設備管理装置もあり、このような機種では時間の概念が判りにくくなっている。つまり、本日の２８時（２８：００）と明日の４時（０４：００）が同じ意味となるため、操作者には理解しがたい概念である。そこで、例えば、設備管理装置に７月３０日の２８時（２８：００）に実行するスケジュールが登録されている場合、マンマシンインターフェース１１は、７月３１日の４時（０４：００）に実行と表示する。このように、マンマシンインターフェース１１で、時間を変換して、判り易い画面にすることにより、操作者の混乱を軽減することができる。
【００３０】
図６は、この発明の実施の形態１に係るスケジュール予約システムの設備管理装置の動作を示すフローチャートである。例えば、Ａビル３０に設けられた設備管理装置３２の動作について説明する。
【００３１】
ステップ２０１において、設備管理装置３２は、送られてきたスケジュール予約データの処理の進行状況について、逐次、管理センター１０へ報告する。
【００３２】
ステップ２０２において、設備管理装置３２は、予約スケジュールの受付を完了した場合には、その旨を管理センター１０へ報告する。すなわち、上述した具体例では、２００３年０７月２９日には、スケジュール予約データが、送受信装置１２により、通信装置１３、ネットワーク２０、通信装置３１を経由して、マンマシンインターフェース１１から設備管理装置３２へ送られてくる。設備管理装置３２は、スケジュール予約データを受信すると、基本スケジュール３５の該当曜日のスケジュールデータを更新登録する。更新すると直ぐに、設備管理装置３２は、当該スケジュール予約データとともに、「予約スケジュール受付完了」を、通信装置３１、ネットワーク２０、通信装置１３、送受信装置１２を経由して、マンマシンインターフェース１１へ送る。
【００３３】
ステップ２０３において、設備管理装置３２は、予約スケジュールが待機状態の場合には、その旨を管理センター１０へ報告する。すなわち、「予約スケジュール受付完了」を送信後、「予約スケジュール実行中」を送信する前まで、所定の間隔で、設備管理装置３２は、当該スケジュール予約データとともに、「予約スケジュール待機状態」を、通信装置３１、ネットワーク２０、通信装置１３、送受信装置１２を経由して、マンマシンインターフェース１１へ送る。
【００３４】
ステップ２０４において、設備管理装置３２は、予約スケジュールが実行中の場合には、その旨を管理センター１０へ報告する。すなわち、設備管理装置３２は、当日テーブル３６のスケジュールデータに従って、例えば照明機器３３をＯＮ、ＯＦＦ制御する。設備管理装置３２は、基本スケジュール３５から当日テーブル３６を、当日に設定する。例えば、当日が水曜日の場合には、設備管理装置３２は、水曜日に、例えば朝一番の０時に、基本スケジュール３５の水曜日のスケジュールデータを当日テーブル３６に設定する。当日テーブル３６を設定すると直ぐに、設備管理装置３２は、当該スケジュール予約データとともに、「予約スケジュール実行中」を、通信装置３１、ネットワーク２０、通信装置１３、送受信装置１２を経由して、マンマシンインターフェース１１へ送る。
【００３５】
ステップ２０５において、設備管理装置３２は、予約スケジュールが実行完了の場合には、その旨を管理センター１０へ報告する。すなわち、予約スケジュールの翌日になると直ちに、例えば、当日が木曜日になって当日テーブル３６のスケジュールデータを更新すると直ちに、設備管理装置３２は、当該スケジュール予約データとともに、「予約スケジュール実行完了」を、通信装置３１、ネットワーク２０、通信装置１３、送受信装置１２を経由して、マンマシンインターフェース１１へ送る。
【００３６】
なお、設備管理装置３２、４２からマンマシンインターフェース１１への通信は、Ｅメールでもよい。
【００３７】
図７は、この発明の実施の形態１に係るスケジュール予約システムのマンマシンインターフェースの動作を示すフローチャートである。また、図８は、この発明の実施の形態１に係るスケジュール予約システムのマンマシンインターフェースの進行状況の表示例を示す図である。
【００３８】
ステップ３０１において、マンマシンインターフェース１１は、設備管理装置から予約スケジュールの進行状況データが送られてきたか否かを判断する。進行状況データが送られてきた場合には、次のステップ３０２へ進み、進行状況データが送られてきていない場合は所定時間後、再び設備管理装置から予約スケジュールの進行状況データが送られてきたか否かを判断する。
【００３９】
次に、ステップ３０２において、マンマシンインターフェース１１は、該当の進行状況データを表示する。すなわち、進行状況データとして、「予約スケジュール受付完了」が、例えば、設備管理装置３２から、通信装置３１、ネットワーク２０、通信装置１３、送受信装置１２を経由して、マンマシンインターフェース１１へ送られてくると、図８（ａ）に示すような進行状況を表示する。この表示データは、送られてきた当該スケジュール予約データと当該進行状況データから作成する。
【００４０】
また、マンマシンインターフェース１１は、進行状況データとして、「予約スケジュール待機状態」が、例えば、設備管理装置３２から、通信装置３１、ネットワーク２０、通信装置１３、送受信装置１２を経由して送られてくると、図８（ｂ）に示すような進行状況を表示する。この表示データは、送られてきた当該スケジュール予約データと当該進行状況データから作成する。
【００４１】
また、マンマシンインターフェース１１は、進行状況データとして、「予約スケジュール実行中」が、例えば、設備管理装置３２から、通信装置３１、ネットワーク２０、通信装置１３、送受信装置１２を経由して送られてくると、図８（ｃ）に示すような進行状況を表示する。この表示データは、送られてきた当該スケジュール予約データと当該進行状況データから作成する。
【００４２】
さらに、マンマシンインターフェース１１は、進行状況データとして、「予約スケジュール実行完了」が、例えば、設備管理装置３２から、通信装置３１、ネットワーク２０、通信装置１３、送受信装置１２を経由して送られてくると、図８（ｄ）に示すような進行状況を表示する。この表示データは、送られてきた当該スケジュール予約データと当該進行状況データから作成する。
【００４３】
なお、上記のステップ３０１〜３０２の処理は、進行状況データが送られてきたら該当の内容を直ちに表示する、という割り込み処理でも構わない。また、表示している、例えば、図４に示すスケジュール予約の入力画面などの空きエリアに進行状況データを表示してもよい。
【００４４】
さらに、マンマシンインターフェース１１などが、送られてきた当該スケジュール予約データと当該進行状況データから、スケジュール予約データベース１５１の『進行状況データ』欄（図示せず）を更新登録することで、『予約データ』と現在日時の比較から『進行状況データ』の内容が適切でない場合、設備管理装置などの故障等を見つけることができる。例えば、『予約データ』が『２００３年０７月３０日、０９：００ＯＮ、１２：００ＯＦＦ』で、現在日時が『２００３年０７月３１日』の場合、正常に動作していれば『進行状況データ』が『予約スケジュール実行完了』となっているはずであるが、そうではない場合には、何らかの故障等が生じたと判断でき、操作者に再予約を促したり、保守点検者に保守点検を促したりすることができる。
【００４５】
操作者から見て、予約したスケジュール項目の進行状況が判るため、安心感を与えるとともに、予約スケジュールの履歴を管理することもできる。
【図面の簡単な説明】
【００４６】
【図１】この発明の実施の形態１に係るスケジュール予約システムとしての遠隔制御監視システムの構成を示す図である。
【図２】この発明の実施の形態１に係る設備管理装置の動作を説明するための図である。
【図３】この発明の実施の形態１に係るスケジュール予約システムのデータベースの構成例を示す図である。
【図４】この発明の実施の形態１に係るスケジュール予約システムのマンマシンインターフェースのスケジュール予約の入力画面例を示す図である。
【図５】この発明の実施の形態１に係るスケジュール予約システムのマンマシンインターフェースの動作を示すフローチャートである。
【図６】この発明の実施の形態１に係るスケジュール予約システムの設備管理装置の動作を示すフローチャートである。
【図７】この発明の実施の形態１に係るスケジュール予約システムのマンマシンインターフェースの動作を示すフローチャートである。
【図８】この発明の実施の形態１に係るスケジュール予約システムのマンマシンインターフェースの進行状況の表示例を示す図である。
【符号の説明】
【００４７】
１０  管理センター、１１  マンマシンインターフェース、１２  送受信装置、１３  通信装置、１４  データベース（ＤＢ）サーバ、１５  データベース（ＤＢ）、２０  ネットワーク、３０  Ａビル、３１  通信装置、３２  設備管理装置、３３  照明機器、３４  空調機器、４０  Ｂビル、４１  通信装置、４２  設備管理装置、４３  照明機器、４４  空調機器。
【図１】
2005084836.tif 000003
【図２】
2005084836.tif 000004
【図３】
2005084836.tif 000005
【図４】
2005084836.tif 000006
【図５】
2005084836.tif 000007
【図６】
2005084836.tif 000008
【図７】
2005084836.tif 000009
【図８】
2005084836.tif 000010